(57)【特許請求の範囲】
【請求項１】
ミストが噴出される複数のミストノズルが長手方向に並ぶ噴出部を備え、一の前記噴出部が、複数の前記ミストノズルが縦方向に配置される縦向きに設けられ、他の前記噴出部が、複数の前記ミストノズルが横方向に配置される横向きに設けられ、
横向きとした他の前記噴出部は、浴室に設置される浴槽の縁部に沿った高さに設けられ、浴槽側あるいは洗い場側に向けてミストが噴出されると共に、浴槽側あるいは洗い場側で高さ方向においてミストの噴出方向が切り替えられ、
縦向きとした一の前記噴出部は、横向きとした他の前記噴出部より上側に設けられ、横方向においてミストの噴出方向が切り替えられて、浴槽側、洗い場側あるいは浴槽と洗い場の間に向けてミストが噴出される
ことを特徴とするミスト発生装置。
【請求項２】
前記噴出部は、前記ミストノズルが並ぶ長手方向に沿った回転軸の軸周り方向に回転可能に設けられる
ことを特徴とする請求項１記載のミスト発生装置。
【請求項３】
前記噴出部は、前記ミストノズルがミストの噴出方向を切り替え可能に設けられる
ことを特徴とする請求項１または２記載のミスト発生装置。
【請求項４】
前記噴出部は、複数の前記ミストノズルが長手方向に並ぶ第１の噴出部と、複数の前記ミストノズルが長手方向に並ぶ第２の噴出部を備え、
前記第１の噴出部が縦方向に延在する向きで取り付けられ、前記第２の噴出部が横方向に延在する向きで取り付けられる本体部と、
前記本体部を回転可能に支持する支持部を備えた
ことを特徴とする請求項１、２または３記載のミスト発生装置。
【発明の詳細な説明】
【技術分野】
【０００１】
本発明は、浴室等の室に湯水によるミストを噴出するミスト発生装置に関する。
【背景技術】
【０００２】
従来、浴室にミストを噴出するミスト発生装置は、ミストを噴出するノズルが直線状に配列された縦型または横型の形態であり、縦型の場合は、洗い場正面の壁や浴槽と洗い場の間、あるいは洗い場の角にミスト発生装置が設置される（例えば、特許文献１、２参照）。また、横型の場合は、洗い場正面の壁やカラン下、浴槽縁、浴槽下側にミスト発生装置が設置される（例えば、特許文献３参照）。
【０００３】
縦型のミスト発生装置では、高さ方向の広い範囲を暖めることが可能である反面、入浴者の全身、あるいは浴室の全体を暖めるためには、浴室の床付近から天井付近にまでノズルを配置する必要があり、ノズルの数が多く必要で、コストが高くなる。
【０００４】
横型のミスト発生装置では、横方向の広い範囲を暖めることが可能であるので、床等の暖房には好適である反面、浴室の全体や入浴者の全身の暖房には不適である。
【０００５】
一方、本体を中心に９０°に開いたアームを持ち、それぞれのアームにノズルを設けたミスト発生装置が提案されている（例えば、特許文献４参照）。
【先行技術文献】
【特許文献】
【０００６】
【特許文献１】特開平０４−１７４６６７号公報
【特許文献２】特開平０９−０１３７０８号公報
【特許文献３】特開２００８−１３６５６８号公報
【特許文献４】特開２００３−１８０５４３号公報
【発明の概要】
【発明が解決しようとする課題】
【０００７】
水平方向に展開する２本のアームのそれぞれにノズルを設けることで、入浴者は、例えば身体の正面と側面の両方からミストを浴びるようなことが可能となる。しかし、高さ（身長）方向では、ミストを浴びられる部位が限られる。このように、従来の縦型のミスト発生装置、あるいは横型のミスト発生装置では、浴室内の広い範囲、あるいは、入浴者の全身に亘るような広い範囲にミストを噴出することができなかった。
【０００８】
本発明は、このような課題を解決するためになされたもので、浴室内の広い範囲をミストで暖房することが可能なミスト発生装置を提供することを目的とする。
【課題を解決するための手段】
【０００９】
上述した課題を解決するため、本発明は、ミストが噴出される複数のミストノズルが長手方向に並ぶ噴出部を備え、一の噴出部が、複数のミストノズルが縦方向に配置される縦向きに設けられ、他の噴出部が、複数のミストノズルが横方向に配置される横向きに設けられ、横向きとした他の噴出部は、浴室に設置される浴槽の縁部に沿った高さに設けられ、浴槽側あるいは洗い場側に向けてミストが噴出されると共に、浴槽側あるいは洗い場側で高さ方向においてミストの噴出方向が切り替えられ、縦向きとした一の噴出部は、横向きとした他の噴出部より上側に設けられ、横方向においてミストの噴出方向が切り替えられて、浴槽側、洗い場側あるいは浴槽と洗い場の間に向けてミストが噴出されるミスト発生装置である。
【００１０】
本発明のミスト発生装置では、縦向きの噴出部により縦方向に配置した複数のミストノズルでミストの噴出が行われ、横向きの噴出部により横方向に配置した複数のミストノズルでミストの噴出が行われるので、浴室内の広い範囲にミストが噴出される。噴出部を回転させることで、浴室内の高さ方向と横方向においてミストの噴出方向が切り替えられ、入浴者の居場所、及び入浴者がミストを浴びたい任意の部位に合わせて、ミストの噴出方向が選択可能である。また、ミストが噴出される複数のミストノズルが長手方向に並ぶ噴出部を備え、噴出部は、複数のミストノズルが縦方向に配置される縦向きと複数のミストノズルが横方向に配置される横向きとの間で回転可能に設けられるミスト発生装置であっても良く、噴出部を縦向きとすれば縦方向に配置した複数のミストノズルでミストの噴出が行われ、噴出部を横向きとすれば横方向に配置した複数のミストノズルでミストの噴出が行われるので、浴室内の広い範囲にミストが噴出される。
【発明の効果】
【００１１】
本発明のミスト発生装置によれば、浴室内の高さ方向と横方向の双方で広い範囲にミストを噴出することができるので、入浴者の全身を暖めることができる。また、浴室全体を暖めることができる。更に、ミストの噴出方向を浴室内の高さ方向と横方向の双方で任意に選択できるので、入浴者にミストが当たらないようにしながら、浴室全体を暖めることができる等、入浴者の要求に合わせたミストの噴霧形態が容易に設定可能である。
【図面の簡単な説明】
【００１２】
【図１】第１の実施の形態のミスト発生装置の一例を示す正面図である。
【図２】第１の実施の形態のミスト発生装置の一例を示す斜視図である。
【図３】第１の実施の形態のミスト発生装置の設置例を示す斜視図である。
【図４】第１の実施の形態のミスト発生装置の動作の一例を示す斜視図である。
【図５】第１の実施の形態のミスト発生装置の動作の一例を示す斜視図である。
【図６】第１の実施の形態のミスト発生装置の動作の一例を示す斜視図である。
【図７】第２の実施の形態のミスト発生装置の一例を示す正面図である。
【図８】第２の実施の形態のミスト発生装置の一例を示す斜視図である。
【図９】第２の実施の形態のミスト発生装置の一例を示す斜視図である。
【図１０】第２の実施の形態のミスト発生装置の設置例を示す斜視図である。
【図１１】第２の実施の形態のミスト発生装置の動作の一例を示す斜視図である。
【図１２】第２の実施の形態のミスト発生装置の動作の一例を示す斜視図である。
【図１３】第２の実施の形態のミスト発生装置の動作の一例を示す斜視図である。
【発明を実施するための形態】
【００１３】
以下、図面を参照して、本発明のミスト発生装置の実施の形態について説明する。
【００１４】
＜第１の実施の形態のミスト発生装置の構成例＞
図１は、第１の実施の形態のミスト発生装置の一例を示す正面図、図２は、第１の実施の形態のミスト発生装置の一例を示す斜視図、図３は、第１の実施の形態のミスト発生装置の設置例を示す斜視図である。
【００１５】
第１の実施の形態のミスト発生装置１Ａは、図示しない給湯システム等から供給された温水を、霧状のミストにして噴出する複数のミストノズル２が設けられた第１の噴出部３及び第２の噴出部４と、第１の噴出部３と第２の噴出部４を回転可能に支持する本体部５と、本体部５を回転可能に支持する支持部６を備える。
【００１６】
第１の噴出部３は、図３に示すように、ミスト発生装置１Ａが浴室１００に設置された状態で、縦方向に延在する部品で構成され、第１の噴出部３の長手方向に沿って複数のミストノズル２が並ぶ配置で設けられる。
【００１７】
第２の噴出部４は、図３に示すように、ミスト発生装置１Ａが浴室１００に設置された状態で、横方向に延在する部品で構成され、第２の噴出部４の長手方向に沿って複数のミストノズル２が並ぶ配置で設けられる。
【００１８】
第１の噴出部３と本体部５は、第１の噴出部３の長手方向に沿った回転軸３０が形成される構成を備えて、第１の噴出部３が、回転軸３０に対して軸周りに回転可能とされて、本体部５の上部に縦向きで取り付けられる。
【００１９】
また、第２の噴出部４と本体部５は、第２の噴出部４の長手方向に沿った回転軸４０が形成される構成を備えて、第２の噴出部４が、回転軸４０に対して軸周りに回転可能とされて、本体部５の側部に横向きで取り付けられる。
【００２０】
これにより、第１の噴出部３と第２の噴出部４は、互いが略垂直な向きとなるＬ状で、本体部５に支持される。
【００２１】
本体部５と支持部６は、本例では、第１の噴出部３と同軸で回転軸３０に対して軸周りに本体部５を回転可能とする構成を備えて、本体部５が支持部６の上部に回転可能に取り付けられる。
【００２２】
支持部６は、ミスト発生装置１Ａを浴室１００に固定するための図示しない取付金具が設けられる。また、支持部６は、図示しない給湯システムから浴室１００に湯水が供給される配管と接続される配管６０が設けられる。
【００２３】
本体部５は、支持部６の配管６０に供給される湯水を、第１の噴出部３の配管３１と第２の噴出部４の配管４１に分配する分岐管５０が設けられる。また、本体部５は、第１の噴出部３の配管３１、及び第２の噴出部４の配管４１等への湯水の供給の有無を切り替えて、ミストの噴出の有無等を切り替える電磁弁５１が設けられる。本体部５は、例えば、樹脂材料等で構成されるケース５２内に、分岐管５０と電磁弁５１が設けられる。
【００２４】
第１の噴出部３は、樹脂材料等で構成された棒状のケース３２に、各ミストノズル２がミストの噴出口を露出させた形態で取り付けられる。本例では、複数のミストノズル２が、第１の噴出部３の長手方向に沿った縦方向に一列に並ぶ配置で設けられる。
【００２５】
また、第１の噴出部３は、本体部５の分岐管５０で分配された湯水が供給される配管３１がケース３２内に設けられ、配管３１に各ミストノズル２が接続される。例えば、第１の噴出部３に設けられる全てのミストノズル２を、１本の配管３１に接続する構成とすれば、１系統の配管で全てのミストノズル２に湯水が供給されてミストが噴出される。
【００２６】
あるいは、第１の噴出部３に設けられる複数のミストノズル２を幾つかのグループに分け、各グループのミストノズル２毎に別々の配管に接続する構成とすれば、２系統以上の配管で各グループのミストノズル２に独立して湯水が供給されてミストが噴出される。そして、電磁弁等で各配管への湯水の供給の有無が切り替えられる構成とすれば、ミストを噴出するミストノズル２とミストを噴出しないミストノズル２を切り替えることが可能となる。
【００２７】
第２の噴出部４は、樹脂材料等で構成された棒状のケース４２に、各ミストノズル２がミストの噴出口を露出させた形態で取り付けられる。本例では、複数のミストノズル２が、第２の噴出部４の長手方向に沿った横方向に一列に並ぶ配置で設けられる。
【００２８】
また、第２の噴出部４は、本体部５の分岐管５０で分配された湯水が供給される配管４１がケース４２内に設けられ、配管４１に各ミストノズル２が接続される。例えば、第２の噴出部４に設けられる全てのミストノズル２を、１本の配管４１に接続する構成とすれば、１系統の配管で全てのミストノズル２に湯水が供給されてミストが噴出される。
【００２９】
あるいは、第２の噴出部４に設けられる複数のミストノズル２を幾つかのグループに分け、各グループのミストノズル２毎に別々の配管に接続する構成とすれば、２系統以上の配管で各グループのミストノズル２に独立して湯水が供給されてミストが噴出される。そして、電磁弁等で各配管への湯水の供給の有無が切り替えられる構成とすれば、ミストを噴出するミストノズル２とミストを噴出しないミストノズル２を切り替えることが可能となる。
【００３０】
第１の噴出部３と本体部５は、回転軸３０に対して軸周りに回転可能な継ぎ手構造等が、配管３１と分岐管５０の間等に設けられ、第１の噴出部３を回転させたときに、本体部５に対する第１の噴出部３の向きによらず、第１の噴出部３の各ミストノズル２に湯水が供給される。
【００３１】
また、第２の噴出部４と本体部５は、回転軸４０に対して軸周りに回転可能な継ぎ手構造等が、配管４１と分岐管５０の間等に設けられ、第２の噴出部４を回転させたときに、本体部５に対する第２の噴出部４の向きによらず、第２の噴出部４の各ミストノズル２に湯水が供給される。
【００３２】
更に、本体部５と支持部６は、回転軸３０に対して軸周りに回転可能な継ぎ手構造等が、分岐管５０と配管６０の間等に設けられ、本体部５を回転させたときに、支持部６に対する本体部５の向きによらず、本体部５を介して第１の噴出部３及び第２の噴出部４の各ミストノズル２に湯水が供給される。
【００３３】
＜第１の実施の形態のミスト発生装置の設置例＞
次に、図３等を参照して第１の実施の形態のミスト発生装置１Ａの設置例について説明する。ミスト発生装置１Ａは、支持部６が浴室１００の浴槽１０１、または壁１０２に固定される。例えば、第１の噴出部３が浴室１００の所定の壁１０２に沿って立設する形態となるように、支持部６が浴槽１０１の縁部１０１ａの上面に固定される。なお、支持部６の固定方法は、吸盤式やその他の方法による着脱自在に固定するものや、移動可能に配置されるものも含むものである。
【００３４】
これにより、ミスト発生装置１Ａは、第１の噴出部３が、浴槽１０１と洗い場１０３の間の位置で、壁１０２に沿った縦方向に延在する形態となる。また、第２の噴出部４が、浴槽１０１の縁部１０１ａの高さ付近で、浴槽１０１の縁部１０１ａに沿った横方向に延在する形態となる。なお、第１の噴出部３の上部を回転可能に支持し、浴室１００の壁１０２に取り付けられる支持具３３を備える構成としても良い。
【００３５】
ミスト発生装置１Ａは、ミストの噴出の有無等の操作が行われる操作部１０が、ミスト発生装置１Ａとは独立して浴室１００の壁１０２に取り付けられる。または、操作部１０は、ミスト発生装置１Ａの支持部６等に備えても良い。ここで、操作部１０は、本体部５等に備えても良いが、支持部６は、第１の噴出部３、第２の噴出部４及び本体部５の回転により向きが変わらないので、操作部１０を支持部６に備える構成とすると、ミストの噴出方向を変えても操作部１０の向きが変わらず、操作性が向上する。
【００３６】
＜第１の実施の形態のミスト発生装置の動作例＞
図４〜図６は、第１の実施の形態のミスト発生装置の動作の一例を示す斜視図で、次に、各図を参照して、第１の実施の形態のミスト発生装置１Ａの動作について説明する。
【００３７】
ミスト発生装置１Ａは、複数のミストノズル２が縦方向に並ぶ第１の噴出部３と、複数のミストノズル２が横方向に並ぶ第２の噴出部４が、それぞれ回転軸に対して回転可能な構成でＬ型に配置される。第１の噴出部３は、本体部５に対して、縦軸である回転軸３０の軸周り方向に回転可能で、第２の噴出部４は、横軸である回転軸４０の軸周り方向に回転可能である。  
【００３８】
また、第１の噴出部３と第２の噴出部４を回転可能に支持する本体部５が、浴槽１０１等に固定される支持部６に対して、第１の噴出部３と同軸の回転軸３０の軸周り方向に回転可能で、ミスト発生装置１Ａの全体が、回転軸３０の軸周り方向に回転可能である。更に、第１の噴出部３と本体部５は、回転軸３０に対して独立して回転可能である。
【００３９】
これにより、ミスト発生装置１Ａでは、第１の噴出部３及び第２の噴出部４と、ミスト発生装置１Ａ全体の独立した回転により、ミストの噴出方向を横方向と高さ方向のそれぞれで切り替えることができると共に、横方向と高さ方向での切り替えを組み合わせることで、ミストの噴出方向が任意に切り替えられる。
【００４０】
すなわち、第１の噴出部３を回転軸３０の軸周り方向に回転させることで、第１の噴出部３に設けられた各ミストノズル２によるミストＭの噴出方向を横方向に変化させることができ、ミストＭの噴出方向が、浴槽１０１側か洗い場１０３側か、あるいは浴槽１０１と洗い場１０３の間かに切り替えられる。
【００４１】
ここで、第１の噴出部３と本体部５が独立して回転可能なので、第１の噴出部３を回転させてミストＭの左右に沿った噴出方向を切り換える際に、第２の噴出部４の回転軸３０に対する軸周り方向の向きは変わらず、第２の噴出部４によるミストＭの噴出方向が変わることはない。
【００４２】
また、第２の噴出部４を回転軸４０の軸周り方向に回転させることで、第２の噴出部４に設けられた各ミストノズル２によるミストＭの噴出方向を高さ方向に変化させることができ、ミストＭの噴出方向が、第２の噴出部４の設置高さより上方か下方か、あるいは第２の噴出部４の設置高さ付近の中層かに切り替えられる。
【００４３】
ここで、第２の噴出部４と本体部５が独立して回転可能なので、第２の噴出部４を回転させてミストＭの上下に沿った噴出方向を切り換える際に、第１の噴出部３の回転軸４０に対する軸周り方向の向きは変わらず、第１の噴出部３によるミストＭの噴出方向が変わることはない。
【００４４】
更に、本体部５を回転軸３０の軸周り方向に回転させることで、本体部５に取り付けられている第２の噴出部４の位置が、浴槽１０１側か洗い場１０３側に切り替えられる。本例では、第２の噴出部４の位置が、壁１０２に面した浴槽１０１の短手方向の縁部１０１ｂに沿った位置、浴槽１０１と洗い場１０３の間に位置する浴槽１０１の長手方向の縁部１０１ｃに沿った位置、及び、洗い場１０３の壁１０２に沿った位置の間で切り替えられる。
【００４５】
そして、浴槽１０１側または洗い場１０３側に位置させた第２の噴出部４を、上述したように、本体部５に対して回転軸４０の軸周り方向に回転させることで、浴槽１０１側または洗い場１０３側のいずれであっても、ミストＭの噴出方向を高さ方向に変化させることができる。
【００４６】
ここで、第１の噴出部３と本体部５が独立して回転可能なので、本体部５を回転させて第２の噴出部４の向きを切り換える際に、第１の噴出部３の回転軸３０に対する軸周り方向の向きは変わらず、第１の噴出部３によるミストＭの噴出方向が変わることはない。
【００４７】
図４及び図５では、第１の噴出部３及び第２の噴出部４でのミストＭの噴出方向を、それぞれ洗い場１０３側に向けた例を示す。図４に示す例では、第１の噴出部３に設けられた各ミストノズル２が洗い場１０３を向くように、第１の噴出部３を回転軸３０の軸周り方向に回転させることで、第１の噴出部３でのミストＭの噴出方向が、洗い場１０３に切り替えられる。
【００４８】
また、第２の噴出部４の位置が、浴槽１０１と洗い場１０３の間に位置する浴槽１０１の長手方向の縁部１０１ｃに沿った位置となるように、本体部５を回転軸３０の軸周り方向に回転させる。
【００４９】
そして、第２の噴出部４に設けられた各ミストノズル２が洗い場１０３を向くように、第２の噴出部４を回転軸４０の軸周り方向に回転させることで、第２の噴出部４でのミストＭの噴出方向が、洗い場１０３に切り替えられる。
【００５０】
上述した設定では、第２の噴出部４の設置高さより上層は、第１の噴出部３でミストＭが噴出されるので、第２の噴出部４でのミストＭの噴出方向が、第２の噴出部４の設置高さより下層、あるいは第２の噴出部４の設置高さ付近の中層となるようにすると良い。
【００５１】
図５に示す例では、第１の噴出部３に設けられた各ミストノズル２が洗い場１０３を向くように、第１の噴出部３を回転軸３０の軸周り方向に回転させることで、第１の噴出部３でのミストＭの噴出方向が、洗い場１０３に切り替えられる。
【００５２】
また、第２の噴出部４の位置が、洗い場１０３の壁１０２に沿った位置となるように、本体部５を回転軸３０の軸周り方向に回転させる。
【００５３】
そして、第２の噴出部４に設けられた各ミストノズル２が洗い場１０３を向くように、第２の噴出部４を回転軸４０の軸周り方向に回転させることで、第２の噴出部４でのミストＭの噴出方向が、洗い場１０３に切り替えられる。
【００５４】
上述した設定でも、第２の噴出部４の設置高さより上層は、第１の噴出部３でミストＭが噴出されるので、第２の噴出部４でのミストＭの噴出方向が、第２の噴出部４の設置高さより下層、あるいは第２の噴出部４の設置高さ付近の中層となるようにすると良い。
【００５５】
このように、第１の噴出部３による縦方向に配置した複数のミストノズル２によるミストＭの噴出と、第２の噴出部４による横方向に配置した複数のミストノズル２によるミストＭの噴出を、それぞれ洗い場１０３に向けた場合、洗い場１０３に居る入浴者は、背中を第１の噴出部３に向けることで、第１の噴出部３の各ミストノズル２から噴出されるミストＭにより、肩から腰付近までの上半身が暖められる。また、第２の噴出部４の各ミストノズル２から噴出されるミストＭにより、腰から足元までの下半身が暖められる。
【００５６】
第２の噴出部４を回転軸４０の軸周り方向に回転させて、ミストＭの噴出方向を切り替えることで、腰付近や足元付近を重点的に暖めることができると共に、洗い場１０３の床を暖めることもできる。
【００５７】
第２の噴出部４によるミストＭの噴出を洗い場１０３側に向ける場合に、第２の噴出部４の位置が、浴槽１０１の長手方向の縁部１０１ｃに沿った位置と、洗い場１０３の壁１０２に沿った位置とで選択できることで、入浴者は、身体の正面あるいは背面からミストを浴びる形態と、横からミストを浴びる形態を選択できる。また、図示しない混合栓等の位置に応じて、最適な位置に第２の噴出部を配置できる。
【００５８】
図６では、第２の噴出部４でのミストＭの噴出方向を、浴槽１０１側に向けた例を示す。図６に示す例では、第１の噴出部３の各ミストノズル２が洗い場１０３を向くように、第１の噴出部３を回転軸３０の軸周り方向に回転させることで、第１の噴出部３でのミストＭの噴出方向が、洗い場１０３に切り替えられる。
【００５９】
また、第２の噴出部４の位置が、壁１０２に面した浴槽１０１の短手方向の縁部１０１ｂに沿った位置となるように、本体部５を回転軸３０の軸周り方向に回転させる。
【００６０】
そして、第２の噴出部４の各ミストノズル２が浴槽１０１を向き、第２の噴出部４でのミストＭの噴出方向が、第２の噴出部４の設置高さより下層、あるいは第２の噴出部４の設置高さ付近の中層となるように、第２の噴出部４を回転軸４０の軸周り方向に回転させることで、第２の噴出部４でのミストＭの噴出方向が、浴槽１０１内に切り替えられる。
【００６１】
このように、第２の噴出部４による横方向に配置した複数のミストノズル２によるミストＭの噴出を、浴槽１０１内に向けた場合、浴槽１０１内に居る入浴者は、第２の噴出部４の各ミストノズル２から噴出されるミストＭにより、腰から足先までの下半身が暖められ、浴槽１０１内で半身浴が可能である。第２の噴出部４を回転軸４０の軸周り方向に回転させて、ミストＭの噴出方向を切り替えることで、腰付近や足先付近等を重点的に暖めることもできる。
【００６２】
上半身については、ミストＭを浴びたくなければ、上述したように、第１の噴出部３を回転軸３０の軸周り方向に回転させることで、第１の噴出部３でのミストＭの噴出方向を、洗い場１０３側に切り替えれば良い。
【００６３】
これに対し、ミストＭを浴びたければ、第１の噴出部３の各ミストノズル２が浴槽１０１側を向くように、第１の噴出部３を回転軸３０の軸周り方向に回転させることで、第１の噴出部３でのミストＭの噴出方向が、浴槽１０１側に切り替えられ、第１の噴出部３の各ミストノズル２から噴出されるミストＭにより上半身が暖められる。
【００６４】
このように、浴槽１０１と洗い場１０３の間の位置に第１の噴出部３が位置し、浴槽１０１の縁部１０１ａに沿った高さに第２の噴出部４が回転可能に位置する構成とすると、浴槽１０１側と洗い場１０３側の両方のミストＭを噴出できる。また、浴槽１０１の縁部１０１ａより下側にミストノズルを配置しなくても、浴室１００の下部の広い範囲にミストＭを噴出できる。
【００６５】
これにより、入浴者は、第１の噴出部３または第２の噴出部４等を回転させる操作で、浴槽１０１と洗い場１０３のどちらでミストＭを浴びるかの選択、ミストＭを浴びる部位の選択、及びミストＭを浴びるか否かの選択ができ、入浴者の要望に合わせたミストＭの噴出が可能である。また、第１の噴出部３と第２の噴出部４で、ミストの噴出の有無を選択して切り替える必要が無く、操作が容易である。
【００６６】
そして、浴室１００の全体、入浴者の全身を暖めるために必要なミストノズル２の数は、減らすことができるので、装置のコストを低減させることができる。
【００６７】
なお、上述した第１の実施の形態では、第１の噴出部３と第２の噴出部４は、それぞれ複数のミストノズル２が１列に設けられる構成について説明したが、複数のミストノズル２が２列以上の複数列に設けられる構成でも良い。また、各ミストノズル２が、ミストＭの噴出方向を切り替えられる構成を備えても良い。
【００６８】
更に、第１の噴出部３と第２の噴出部４のそれぞれを、複数の部材に分割される構成とし、各部材が回転軸の軸周りに回転可能な構成、あるいは、折れ曲がる構成としても良い。例えば、第１の噴出部３が、縦方向に延在する形態と、中間位置で折れ曲がり、縦方向に延在する形態と横方向に延在する形態が組み合わせられるような構成でも良い。また、本体部５を、支持部６に対して横軸である回転軸４０の軸周り方向に回転可能な構成としても良い。
【００６９】
また、第１の噴出部３、第２の噴出部４及び本体部５が手動で回転する構成としたが、モータ等の駆動手段を利用して、例えば電動で回転動作を行う構成としても良い。第１の噴出部３、第２の噴出部４及び本体部５を、電動で回転動作を行う構成として、操作部１０での操作によってミストＭの噴出方向を切り替えられるようにすれば、噴出方向を切り替える操作を容易に行える。更に、第１の噴出部３と第２の噴出部４を、それぞれ回転軸の軸周りに任意の角度でスイングするスイングモードを設定すれば、入浴前等に浴室１００全体を迅速に暖めることができる。
【００７０】
＜第２の実施の形態のミスト発生装置の構成例＞
図７は、第２の実施の形態のミスト発生装置の一例を示す正面図、図８及び図９は、第２の実施の形態のミスト発生装置の一例を示す斜視図、図１０は、第２の実施の形態のミスト発生装置の設置例を示す斜視図である。
【００７１】
第２の実施の形態のミスト発生装置１Ｂは、図示しない給湯システム等から供給された温水を、霧状のミストにして噴出する複数のミストノズル２が設けられた噴出部７と、噴出部７を回転可能に支持する継ぎ手部８と、継ぎ手部８を回転可能に支持する支持部９を備える。
【００７２】
噴出部７は、長手方向に沿って複数のミストノズル２が並ぶ配置で設けられる。噴出部７は、長手方向に沿った回転軸７０が形成される構成を備え、回転軸７０に対して軸周りに回転可能とされて、継ぎ手部８の上部に取り付けられる。
【００７３】
継ぎ手部８は、噴出部７の回転軸７０と直交する回転軸８０が形成される構成を備え、回転軸８０に対して回転可能とされる。継ぎ手部８と支持部９は、継ぎ手部８の回転軸８０と直交する回転軸９０が形成される構成を備え、回転軸９０に対して軸周りに回転可能とされて、継ぎ手部８が支持部９の上部に回転可能に取り付けられる。支持部９は、ミスト発生装置１Ｂを浴室１００に固定するための図示しない取付金具が設けられる。
【００７４】
ミスト発生装置１Ｂは、継ぎ手部８の回転軸８０で噴出部７を回転させることで、図８に示すように、噴出部７を縦向きの形態とすることができると共に、図９に示すように、噴出部７を横向きの形態とすることができる。
【００７５】
また、ミスト発生装置１Ｂは、図８に示すように、噴出部７を縦向きとした形態で、噴出部７を回転軸７０の軸周り方向に回転させることができる。あるいは、噴出部７を縦向きとした形態で、噴出部７を継ぎ手部８と共に回転軸９０の軸周り方向に回転させることができる。
【００７６】
更に、ミスト発生装置１Ｂは、図９に示すように、噴出部７を横向きとした形態で、噴出部７を回転軸７０の軸周り方向に回転させることができる。また、噴出部７を横向きとした形態で、噴出部７を継ぎ手部８と共に回転軸９０の軸周り方向に回転させることができる。
【００７７】
ミスト発生装置１Ｂは、図示しない給湯システムから浴室１００に湯水が供給される配管と接続される図示しない配管が支持部９に設けられ、噴出部７及び継ぎ手部８の回転により変化する噴出部７の向きによらず、支持部９の配管から各ミストノズル２に湯水を供給する配管構造が設けられる。
【００７８】
ミスト発生装置１Ｂは、ミストの噴出の有無等を切り替える図示しない電磁弁が支持部９に設けられる。ミスト発生装置１Ｂは、例えば、噴出部７に設けられる全てのミストノズル２を、１本の配管に接続する構成とすれば、１系統の配管で全てのミストノズル２に湯水が供給されてミストが噴出される。
【００７９】
あるいは、噴出部７に設けられる複数のミストノズル２を幾つかのグループに分け、各グループのミストノズル２毎に別々の配管に接続する構成とすれば、２系統以上の配管で各グループのミストノズル２に独立して湯水が供給されてミストが噴出される。そして、電磁弁等で各配管への湯水の供給の有無が切り替えられる構成とすれば、ミストを噴出するミストノズル２とミストを噴出しないミストノズル２を切り替えることが可能となる。
【００８０】
＜第２の実施の形態のミスト発生装置の設置例＞
次に、図１０等を参照して第２の実施の形態のミスト発生装置１Ｂの設置例について説明する。単数または複数のミスト発生装置１Ｂは、支持部９が浴室１００の浴槽１０１、または壁１０２に固定される。例えば、２個のミスト発生装置１Ｂを並列させる形態で、それぞれのミスト発生装置１Ｂの支持部９が、浴槽１０１の縁部１０１ｂの上面に固定される。なお、支持部９の固定方法は、吸盤式やその他の方法による着脱自在に固定するものや、移動可能に配置されるものも含むものである。
【００８１】
ミスト発生装置１Ｂは、ミストの噴出の有無等の操作が行われる操作部１０が、ミスト発生装置１Ｂとは独立して浴室１００の壁１０２に取り付けられる。
【００８２】
＜第２の実施の形態のミスト発生装置の動作例＞
図１１〜図１３は、第２の実施の形態のミスト発生装置の動作の一例を示す斜視図で、次に、各図を参照して、第２の実施の形態のミスト発生装置１Ｂの動作について説明する。
【００８３】
ミスト発生装置１Ｂは、図８等に示す継ぎ手部８の回転軸８０で噴出部７を回転させることで、２個のミスト発生装置１Ｂでは、一方のミスト発生装置１Ｂの噴出部７を縦向きとし、他方のミスト発生装置１Ｂの噴出部７を横向きとすれば、各噴出部７を、それぞれ回転軸に対して回転可能な構成でＬ型に配置することができる。
【００８４】
これにより、２個のミスト発生装置１Ｂで、ミストの噴出方向を横方向と高さ方向のそれぞれで切り替えることができると共に、横方向と高さ方向での切り替えを組み合わせることで、ミストの噴出方向が任意に切り替えられる。
【００８５】
すなわち、噴出部７を縦向きとした形態で、噴出部７を回転軸７０の軸周り方向に回転させることで、噴出部７に設けられた各ミストノズル２によるミストＭの噴出方向を横方向に変化させることができ、ミストＭの噴出方向が、浴槽１０１側か洗い場１０３側か、あるいは浴槽１０１と洗い場１０３の間かに切り替えられる。
【００８６】
また、噴出部７を横向きとした形態で、噴出部７を回転軸７０の軸周り方向に回転させることで、各ミストノズル２によるミストＭの噴出方向を高さ方向に変化させることができ、ミストＭの噴出方向が、横向きとした噴出部７の設置高さより上方か下方か、あるいは噴出部７の設置高さ付近の中層かに切り替えられる。
【００８７】
更に、浴槽１０１側に配置したミスト発生装置１Ｂは、噴出部７を浴槽１０１側に横向きとすることで、噴出部７が、壁１０２に面した浴槽１０１の短手方向の縁部１０１ｂに沿った位置とすることができる。また、洗い場１０３側に配置したミスト発生装置１Ｂは、噴出部７を洗い場１０３側に横向きとすることで、噴出部７が、洗い場１０３の壁１０２に沿った位置とすることができる。
【００８８】
更に、各ミスト発生装置１Ｂは、噴出部７を横向きとした形態で、噴出部７を継ぎ手部８と共に回転軸９０の軸周り方向に回転させることで、噴出部７が、浴槽１０１と洗い場１０３の間に位置する浴槽１０１の長手方向の縁部１０１ｃに沿った位置とすることができる。
【００８９】
そして、浴槽１０１側または洗い場１０３側で横向きの形態とした噴出部７を、上述したように、回転軸７０の軸周り方向に回転させることで、浴槽１０１側または洗い場１０３側のいずれであっても、ミストＭの噴出方向を高さ方向に変化させることができる。
【００９０】
図１１及び図１２では、２個のミスト発生装置１Ｂにおいて、各噴出部７でのミストＭの噴出方向を、それぞれ洗い場１０３側に向けた例を示す。図１１に示す例では、洗い場１０３側のミスト発生装置１Ｂでは噴出部７を縦向きとし、縦向きとした噴出部７の各ミストノズル２が洗い場１０３を向くように、噴出部７を回転軸７０の軸周り方向に回転させることで、縦向きとした噴出部７でのミストＭの噴出方向が、洗い場１０３に切り替えられる。
【００９１】
また、浴槽１０１側のミスト発生装置１Ｂでは噴出部７を横向きとし、横向きとした噴出部７の位置が、浴槽１０１と洗い場１０３の間に位置する浴槽１０１の長手方向の縁部１０１ｃに沿った位置となるように、噴出部７を回転軸９０の軸周り方向に回転させる。
【００９２】
そして、横向きとした噴出部７の各ミストノズル２が洗い場１０３を向くように、噴出部７を回転軸７０の軸周り方向に回転させることで、横向きとした噴出部７でのミストＭの噴出方向が、洗い場１０３に切り替えられる。
【００９３】
上述した設定では、横向きとした噴出部７の設置高さより上層は、縦向きとした噴出部７でミストＭが噴出されるので、横向きとした噴出部７でのミストＭの噴出方向が、横向きとした噴出部７の設置高さより下層、あるいは横向きとした噴出部７の設置高さ付近の中層となるようにすると良い。
【００９４】
図１２に示す例では、浴槽１０１側のミスト発生装置１Ｂでは噴出部７を縦向きとし、縦向きとした噴出部７の各ミストノズル２が洗い場１０３を向くように、噴出部７を回転軸７０の軸周り方向に回転させることで、縦向きとした噴出部７でのミストＭの噴出方向が、洗い場１０３に切り替えられる。
【００９５】
また、洗い場１０３側のミスト発生装置１Ｂでは噴出部７を横向きとし、横向きとした噴出部７の位置が、洗い場１０３の壁１０２に沿った位置となるように、噴出部７を回転軸９０の軸周り方向に回転させる。
【００９６】
そして、横向きとした噴出部７の各ミストノズル２が洗い場１０３を向くように、噴出部７を回転軸７０の軸周り方向に回転させることで、横向きとした噴出部７でのミストＭの噴出方向が、洗い場１０３に切り替えられる。
【００９７】
上述した設定でも、横向きとした噴出部７の設置高さより上層は、縦向きとした噴出部７でミストＭが噴出されるので、横向きとした噴出部７でのミストＭの噴出方向が、横向きとした噴出部７の設置高さより下層、あるいは横向きとした噴出部７の設置高さ付近の中層となるようにすると良い。
【００９８】
このように、縦向きとした噴出部７による縦方向に配置される複数のミストノズル２によるミストＭの噴出と、横向きとした噴出部７による横方向に配置される複数のミストノズル２によるミストＭの噴出を、それぞれ洗い場１０３に向けた場合、洗い場１０３に居る入浴者は、背中を縦向きとした噴出部７に向けることで、縦向きとした噴出部７の各ミストノズル２から噴出されるミストＭにより、肩から腰付近までの上半身が暖められる。また、横向きとした噴出部７の各ミストノズル２から噴出されるミストＭにより、腰から足元までの下半身が暖められる。
【００９９】
横向きとした噴出部７を回転軸７０の軸周り方向に回転させて、ミストＭの噴出方向を切り替えることで、腰付近や足元付近を重点的に暖めることができると共に、洗い場１０３の床を暖めることもできる。
【０１００】
横向きとした噴出部７によるミストＭの噴出を洗い場１０３側に向ける場合に、横向きとした噴出部７の位置が、浴槽１０１の長手方向の縁部１０１ｃに沿った位置と、洗い場１０３の壁１０２に沿った位置とで選択できることで、入浴者は、身体の正面あるいは背面からミストを浴びる形態と、横からミストを浴びる形態を選択できる。また、図示しない混合栓等の位置に応じて、最適な位置に横向きとした噴出部７を配置できる。
【０１０１】
図１３では、２個のミスト発生装置１Ｂにおいて、横向きとした一方の噴出部７でのミストＭの噴出方向を、浴槽１０１側に向けた例を示す。図１３に示す例では、洗い場１０３側のミスト発生装置１Ｂでは噴出部７を縦向きとし、縦向きとした噴出部７の各ミストノズル２が洗い場１０３を向くように、噴出部７を回転軸７０の軸周り方向に回転させることで、縦向きとした噴出部７でのミストＭの噴出方向が、洗い場１０３に切り替えられる。
【０１０２】
また、浴槽１０１側のミスト発生装置１Ｂでは噴出部７を横向きとし、横向きとした噴出部７の位置が、壁１０２に面した浴槽１０１の短手方向の縁部１０１ｂに沿った位置となるように、噴出部７を回転軸９０の軸周り方向に回転させる。
【０１０３】
そして、横向きとした噴出部７の各ミストノズル２が浴槽１０１を向き、横向きとした噴出部７でのミストＭの噴出方向が、横向きとした噴出部７の設置高さより下層、あるいは横向きとした噴出部７の設置高さ付近の中層となるように、横向きとした噴出部７を回転軸７０の軸周り方向に回転させることで、横向きとした噴出部７でのミストＭの噴出方向が、浴槽１０１内に切り替えられる。
【０１０４】
このように、横向きとした噴出部７による複数のミストノズル２によるミストＭの噴出を、浴槽１０１内に向けた場合、浴槽１０１内に居る入浴者は、横向きとした噴出部７の各ミストノズル２から噴出されるミストＭにより、腰から足先までの下半身が暖められ、浴槽１０１内で半身浴が可能である。横向きとした噴出部７を回転軸７０の軸周り方向に回転させて、ミストＭの噴出方向を切り替えることで、腰付近や足先付近等を重点的に暖めることもできる。
【０１０５】
上半身については、ミストＭを浴びたくなければ、上述したように、縦向きとした噴出部７を回転軸７０の軸周り方向に回転させることで、縦向きとした噴出部７でのミストＭの噴出方向を、洗い場１０３側に切り替えれば良い。
【０１０６】
これに対し、ミストＭを浴びたければ、縦向きとした噴出部７の各ミストノズル２が浴槽１０１側を向くように、縦向きとした噴出部７を回転軸７０の軸周り方向に回転させることで、縦向きとした噴出部７でのミストＭの噴出方向が、浴槽１０１側に切り替えられ、縦向きとした噴出部７の各ミストノズル２から噴出されるミストＭにより上半身が暖められる。
【０１０７】
このように、浴槽１０１と洗い場１０３の間の位置に縦向きとした噴出部７が位置し、浴槽１０１の縁部１０１ａに沿った高さに横向きとした噴出部７が回転可能に位置する構成とすると、浴槽１０１側と洗い場１０３側の両方のミストＭを噴出できる。また、浴槽１０１の縁部１０１ａより下側にミストノズルを配置しなくても、浴室１００の下部の広い範囲にミストＭを噴出できる。
【０１０８】
これにより、入浴者は、２個の噴出部７を任意の方向に回転させる操作で、浴槽１０１と洗い場１０３のどちらでミストＭを浴びるかの選択、ミストＭを浴びる部位の選択、及びミストＭを浴びるか否かの選択ができ、入浴者の要望に合わせたミストＭの噴出が可能である。また、２個の噴出部７で、ミストの噴出の有無を選択して切り替える必要が無く、操作が容易である。
【０１０９】
そして、浴室１００の全体、入浴者の全身を暖めるために必要なミストノズル２の数は、減らすことができるので、装置のコストを低減させることができる。
【０１１０】
なお、上述した第２の実施の形態では、２個のミスト発生装置１Ｂが浴槽１０１の短手方向の縁部１０１ｂに沿って並列される構成としたが、長手方向の縁部１０１ｃに沿って並列される構成としても良い。また、２個のミスト発生装置１Ｂを、間隔を開けて配置しても良い。更に、１個、あるいは２個以上のミスト発生装置１Ｂを配置する構成としても良い。
【０１１１】
また、噴出部７は、複数のミストノズル２が１列に設けられる構成について説明したが、複数のミストノズル２が２列以上の複数列に設けられる構成でも良い。また、各ミストノズル２が、ミストＭの噴出方向を切り替えられる構成を備えても良い。
【０１１２】
更に、噴出部７を、複数の部材に分割される構成とし、各部材が回転軸の軸周りに回転可能な構成、あるいは、折れ曲がる構成としても良い。
【０１１３】
また、噴出部７及び継ぎ手部８が手動で回転する構成としたが、モータ等の駆動手段を利用して、例えば電動で回転動作を行う構成としても良い。噴出部７及び継ぎ手部８を、電動で回転動作を行う構成として、操作部１０での操作によってミストＭの噴出方向を切り替えられるようにすれば、噴出方向を切り替える操作を容易に行える。更に、噴出部７を、回転軸の軸周りに任意の角度でスイングするスイングモードを設定すれば、入浴前等に浴室１００全体を迅速に暖めることができる。
【０１１４】
第１の実施の形態のミスト発生装置１Ａ及び第２の実施の形態のミスト発生装置１Ｂは、シャワー用のポールや介助用の手すり等、浴室１００内に設置されている備品に取り付けられる構成としても良い。
【０１１５】
また、第１の実施の形態のミスト発生装置１Ａ及び第２の実施の形態のミスト発生装置１Ｂは、浴室換気乾燥暖房機が設置された浴室に設定されても良く、浴室換気乾燥暖房機の運転と連動し、浴室換気乾燥暖房機での温風等の吹き出しと連動して、ミストが噴出される構成としても良い。
【産業上の利用可能性】
【０１１６】
本発明は、浴室、サウナ室等の暖房を行う室、あるいは外部空間に設置されるミスト発生装置に適用される。
【符号の説明】
【０１１７】
１Ａ、１Ｂ・・・ミスト発生装置、２・・・ミストノズル、３・・・第１の噴出部、３０・・・回転軸、４・・・第２の噴出部、４０・・・回転軸、５・・・本体部、６・・・支持部、７・・・噴出部、８・・・継ぎ手部、９・・・支持部
【図１】
0005516372.tif 000002
【図２】
0005516372.tif 000003
【図３】
0005516372.tif 000004
【図４】
0005516372.tif 000005
【図５】
0005516372.tif 000006
【図６】
0005516372.tif 000007
【図７】
0005516372.tif 000008
【図８】
0005516372.tif 000009
【図９】
0005516372.tif 000010
【図１０】
0005516372.tif 000011
【図１１】
0005516372.tif 000012
【図１２】
0005516372.tif 000013
【図１３】
0005516372.tif 000014